(57)【要約】【課題】カメラの表示器からプリント設定を行い、印刷実行指示を発行したあとに、ＰＤプリンタ側で紙の給紙エラー等何らかの理由によりデータ転送が中断されるような状況が発生した場合、ユーザーは一度プリンタへ出向き、状況改善を行なった後に、再び唯一のユーザーインターフェースであるカメラ上の表示器を操作することにより転送再開指示を行う必要がある為、ユーザーの機器間の往復を強いて利便性に優れない。【解決手段】デジタルカメラに代表される入力機器と、ＰＤプリンタに代表される出力機器もしくは情報処理機器の接続による画像データの受け渡しにおいて、一方の機器の表示手段上に表示されるユーザーインターフェース情報を元に画像データの送信開始指示後に、もう一方の機器において何らかの理由により転送中段状態が発生した際にその機器の表示手段上にユーザーインターフェース情報が表示され、転送再開指示を行うことが可能であることを特徴とする。【選択図】          図１２
2006059069.tif 000002
【特許請求の範囲】
【請求項１】
入力機器と、出力機器もしくは情報処理機器の接続による画像データの受け渡しにおいて、一方の機器の表示手段上に表示されるユーザーインターフェース情報を元に画像データの送信開始指示後に、もう一方の機器の表示手段上にもユーザーインターフェース情報が表示され、送信制御を行うことが可能であることを制御方法。
【請求項２】
入力機器は、デジタルカメラであり、出力機器はプリンタである請求項１の画像データの送信開始指示後に、もう一方機器の表示手段上にｍｐユーザーインターフェース情報が表示され、送信制御を行なうことが可能であることを特徴とする制御方法。
【請求項３】
入力機器と、出力機器もしくは情報処理機器の接続による画像データの受け渡しにおいて、一方の機器の表示手段上に表示されるユーザーインターフェース情報を元に画像データの送信開始指示後に、もう一方の機器において何らかの理由により転送中段状態が発生した際にその機器の表示手段上にユーザーインターフェース情報が表示され、転送再開指示を行うことが可能であることを特徴とする制御方法。
【請求項４】
入力機器は、デジタルカメラであり、出力機器はプリンタであることを特徴とする請求項３記載の制御方法。
【発明の詳細な説明】
【技術分野】
【０００１】
本発明は、入力機器と出力機器間における直接プリントに関するものであり、デバイス間のユーザーインターフェース情報の表示並びに機器などの制御方法に対して記述するものである。
【背景技術】
【０００２】
デジタルカメラの普及に伴い、デジタルカメラのデータをコンパクトフラッシュ(登録商標)（ＣＦ）カードなどの記録媒体を介して、プリンタ本体に設けたカードスロットルから直接カードに保存されたデータを読み込み、ホストＰＣを介さないで直接プリントを行う、いわゆるフォトダイレクトプリンタ（ＰＤプリンタ）などからの出力の需要が高まりつつある。またさらにはこれらのＰＤプリンタに記録媒体を介してではなく、デジタルカメラとユニバーサルシリアルバス（ＵＳＢ）等を用いて直接ＰＤプリンタがデジタルカメラ内のデータを用いて、プリンタ側で記録可能なデータへの処理を行い、記録を行うＰＤプリンタシステムも実現されている。
【０００３】
これらのＰＤプリンタはコントローラ部と呼ばれる画像処理機能をプリンタ内部に有し、通常のプリンタではホストＰＣ側で行う画像のレンダリング、ラスタライズ、色変換、量子化、プリント制御用コマンドの生成等の処理を全てこのコントローラ部で行い、エンジン部に生成されたデータを送る。そしてエンジン部では生成されたデータを読み取り、印字制御用コマンドと印字データとを解釈し、実際の非記録媒体への画像の記録を行う為に必要な紙送りやキャリッジ移動などのメカ制御や記録ヘッド駆動パルスの印加や記録ヘッドへのデータの送信などの制御を行う。これらエンジン部での制御は従来のホストＰＣからデータをエンジン部で受けた場合と同じである。このようなＰＤプリンタはデジタルカメラの普及に伴い、その需要もましている。
【０００４】
これらＰＤプリンタによるホストＰＣを介さないフォトダイレクトプリントを行う際、プリントする画像データの選択、プリントする枚数、また出力におけるレイアウト等、ホストＰＣを介したプリントではホストＰＣで行っていたユーザーによる各種プリント設定はフォトダイレクトプリントを行う機器において行なわれる（特許文献１参照）。
【０００５】
具体的には記録媒体を介してデータを読み込んで出力するＰＤプリンタ単体によるダイレクトプリントの場合、通常プリンタに備わっている表示器に表示されるユーザーインターフェースに表示される情報を元にユーザーが設定、そして印字動作開始の指示を行う。
【０００６】
また、デジタルカメラとユニバーサルシリアルバス（ＵＳＢ）等を用いて直接ＰＤプリンタがデジタルカメラ内のデータを用いて、プリンタ側で記録可能なデータへの処理を行い、記録を行うＰＤプリンタシステムにおいては、通常デジタルカメラ備わっている表示器に表示されるユーザーインターフェースに表示される情報を元にユーザーが設定、そして印字動作開始の指示を行う。
【特許文献１】特開２００４−０９６６８８号公報
【発明の開示】
【発明が解決しようとする課題】
【０００７】
デジタルカメラとユニバーサルシリアルバス（ＵＳＢ）等を用いて直接ＰＤプリンタがデジタルカメラ内のデータを用いて、プリンタ側で記録可能なデータへの処理を行い、記録を行うＰＤプリンタシステムにおいて、カメラの表示器からプリント設定を行い、印刷実行指示を発行したあとに、ＰＤプリンタ側で紙の給紙エラー等何らかの理由によりデータ転送が中断されるような状況が発生した場合、ユーザーは一度プリンタへ出向き、状況改善を行った後に、再び唯一のユーザーインターフェースであるカメラ上の表示器を操作することにより転送再開指示を行なう必要がある為、ユーザーの機器間の往復を強いて利便性に優れない。
【０００８】
上記課題を解決する為に、本出願にかかわる発明は、
デジタルカメラに代表される入力機器と、ＰＤプリンタに代表される出力機器もしくは情報処理機器の接続による画像データの受け渡しにおいて、一方の機器の表示手段上に表示されるユーザーインターフェース情報を元に画像データの送信開始指示後に、もう一方の機器において何らかの理由により転送中段状態が発生した際にその機器の表示手段上にユーザーインターフェース情報が表示され、転送再開指示を行うことが可能であることを特徴とする方法を提供する。
【課題を解決するための手段】
【０００９】
この発明は下記（１）の構成を備えることにより上記課題を解決できるものである。
【００１０】
（１）入力機器と、出力機器もしくは情報処理機器の接続による画像データの受け渡しにおいて、一方の機器の表示手段上に表示されるユーザーインターフェース情報を元に画像データの送信開始指示後に、もう一方の機器の表示手段上にもユーザーインターフェース情報が表示され、送信制御を行うことが可能であることを特徴とする制御方法。
【発明の効果】
【００１１】
デジタルカメラなどの入力機器からＰＤプリンタのような出力機器に対して直接印刷を行う場合、両方の機器に表示器を具備する場合には印刷設定や印刷開始指示を入力機器上の表示手段上に表示されるユーザーインターフェース情報を元に指示するが、プリンタにおいて何らかの理由により転送中断状態が発生した際にその機器の表示手段上にユーザーインターフェース情報が表示され、転送再開指示を行うことが可能であることにより、操作するユーザーはプリンタ側の表示器上で不具合情報を確認し、その不具合を解消した後にデジタルカメラに戻り再開操作を行うことなく、プリンタ側で印刷再開操作を行うことが出来る。
【発明を実施するための最良の形態】
【００１２】
以下本発明を実施するための最良の形態を、実施例により詳しく説明する。
【実施例】
【００１３】
以下に本発明の第一の実施形態について説明を行う。
【００１４】
まず図１から図６で本発明を適応したフォトダイレクト（ＰＤ）プリンタについて説明する。図１は、本発明の実施の形態に係るフォトダイレクトプリンタ装置１０００の概観斜視図である。このフォトダイレクトプリンタは、ホストコンピュータ（ＰＣ）からデータを受信して印刷する、通常のＰＣプリンタとしての機能と、メモリカードなどの記憶媒体に記憶されている画像データを直接読取って印刷したり、或いはデジタルカメラからの画像データを受信して印刷する機能を備えている。
【００１５】
図１において、本実施の形態に係るフォトダイレクトプリンタ装置１０００の外殻をなす本体は、下ケース１００１、上ケース１００２、アクセスカバー１００３及び排出トレイ１００４の外装部材を有している。また、下ケース１００１は、装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積
載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１６】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１７】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０の構造は、図３を参照して詳しく後述する。１００７は自動給送部で、記録シートを装置本体内へと自動的に給送する。１００８は紙間選択レバーで、記録ヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。このメモリカード（ＰＣ）としては、例えばコンパクトフラッシュ(登録商標)メモリ、スマートメディア、メモリスティック等がある。１０１１はビューワ（液晶表示部）で、この装置本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するための端子、１０１３は、パーソナルコンピュータ（ＰＣ）を接続するためのＵＳＢバスコネクタを示す。
【００１８】
図２は、本実施の形態に係るフォトダイレクトプリンタ装置１０００の記録ヘッドの構成を示す概観斜視図である。この実施形態における記録ヘッドカートリッジ１２００は、図２に示すようにインクを貯留するインクタンク１３００と、このインクタンク１３００から供給されるインクを記録情報に応じてノズルから吐出させる記録ヘッド１３０１とを有し、記録ヘッド１３０１は、キャリッジ１１０２に対して着脱可能に搭載される、いわゆるカートリッジ方式を採るものとなっている。そして記録に際しては、記録ヘッドカートリッジ１２００はキャリッジ軸に沿って往復走査され、それに伴って記録シート上にカラー画像が記録される。ここに示す記録ヘッドカートリッジ１３０１では、写真調の高画質なカラー記録を可能とするため、インクタンクとして、例えば、ブラック、ライトシアン（ＬＣ）、ライトマゼンタ（ＬＭ）、シアン、マゼンタ及びイエローの各色独立のインクタンクが用意されており、それぞれが記録ヘッド１３０１に対して着脱自在となっている。
【００１９】
なお、本実施の形態では、上述した６色のインクを使用する場合で説明するが、本発明は、これら６色のインクを用いる場合に限定されるものでなく、例えばブラック、シアン、マゼンタ及びイエローの４色のインクを使用して記録を行うインクジェットプリンタであってもよい。その場合には、４色それぞれ独立のインクタンクが、それぞれ記録ヘッド１３０１に対して着脱自在となっていても構わない。
【００２０】
図３は、本実施の形態に係る操作パネル１０１０の概観図である。図において、液晶表示部１００６には、その左右に印刷されている項目に関するデータを各種設定するためのメニュー項目が表示される。ここに表示される項目としては、印刷したい範囲の先頭写真番号、指定コマ番号（開始／−指定）、印刷を終了したい範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これら各項目は、カーソルキー２００１を用いて選択、或いは指定される。２００２はモードキーで、このキー２００２を押下する毎に、印刷の種類（インデックス印刷、全コマ印刷、１コマ印刷等）を切り替えることができ、これに応じてＬＥＤ２００３の対応するＬＥＤが点灯される。２００４はメンテナンスキーで、記録ヘッド１３０１のクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。
【００２１】
図４を参照して、本実施の形態に係るフォトダイレクトプリンタ装置１０００の制御に係る主要部の構成を説明する。尚、この図４において、前述の図面と共通する部分は同じ記号を付与して、それらの説明を省略する。
【００２２】
図４において、３０００は制御部（制御基板）を示している。３００１はＡＳＩＣ（専用カスタムＬＳＩ）を示し、その構成は図５のブロック図を参照して詳しく後述する。３００２はＤＳＰ（デジタル信号処理プロセッサ、米国テキサス・インスツルメンツ社製ＤＳＰ−Ｃ６２１１）で、内部にＣＰＵを有し、各種制御処理及び、輝度信号（ＲＧＢ）から濃度信号（ＣＭＹＫ）への変換、スケーリング、ガンマ変換、誤差拡散等の画像処理等を担当している。３００３はメモリで、ＤＳＰ３００２のＣＰＵの制御プログラムを記憶するプログラムメモリ３００３ａ、及び実行時のプログラムを記憶するＲＡＭエリア，画像データなどを記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。３００５はデジタルカメラ３０１２を接続するためのポートとしてのＵＳＢバスコネクタである。３００６はビューワ１０１１を接続するためのコネクタである。３００８はＵＳＢバスハブ（ＵＳＢ  ＨＵＢ）で、このプリンタ装置１０００がＰＣ３０１０からの画像データに基づいて印刷を行う際には、ＰＣ３０１０からのデータをそのままスルーし、ＵＳＢバス３０２１を介してプリンタエンジン３００４に出力する。これにより、接続されているＰＣ３０１０は、プリンタエンジン３００４と直接、データや信号のやり取りを行って印刷を実行することが出来る（一般的なＰＣプリンタとして機能する）。３００９は電源コネクタで、電源３０１３により、商用ＡＣから変換された直流電圧を入力している。ＰＣ３０１０は一般的なパーソナルコンピュータ、３０１１は前述したメモリカード（ＰＣカード）、３０１２はデジタルカメラである。
【００２３】
尚、この制御部３０００とプリンタエンジン３００４との間の信号のやり取りは、前述したＵＳＢバス３０２１又はＩＥＥＥ１２８４バス３０２２を介して行われる。
【００２４】
図５は、ＡＳＩＣ３００１の構成を示すブロック図で、この図５においても、前述の図面と共通する部分は同じ記号を付与して、それらの説明を省略する。
【００２５】
４００１はＰＣカードインターフェース部で、装着されたＰＣカード３０１１に記憶されている画像データを読取ったり、或いはＰＣカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部は、デジタルカメラ３０１２或いはＰＣカード３０１１に記憶されている画像データを印刷する場合に使用されるバスである。４００３はＵＳＢインターフェース部で、ＰＣ３０１０との間でのデータのやり取りを行う。４００４はＵＳＢホストインターフェース部で、デジタルカメラ３０１２との間でのデータのやり取りを行う。４００５は操作パネル・インターフェース部で、操作パネル１０１０からの各種操作信号を入力したり、表示部１００６への表示データの出力などを行う。４００６はビューワ・インターフェース部で、ビューワ１０１１への画像データの表示を制御している。４００７は各種スイッチやＬＥＤ４００９等との間のインターフェースを制御するインターフェース部である。４００８はＣＰＵインターフェース部で、ＤＳＰ３００２との間でのデータのやり取りの制御を行っている。４０１０はこれら各部を接続する内部バス（ＡＳＩＣバス）である。
【００２６】
図６は、本実施の形態に係るフォトダイレクトプリンタ装置１０００のインターフェース及び画像処理制御に係る機能構成を示す機能ブロック図である。尚、この図６においても、前述の図面と共通する部分は同じ記号を付与して、それらの説明を省略する。
【００２７】
６０００は、このフォトダイレクトプリンタ装置１０００からみた場合でのホスト（画像データ源）に該当しており、このホスト６０００には、上述したホストコンピュータであるＰＣ３０１０、デジタルカメラ３０１２、ＰＣカード３０１１、更には不図示のゲーム機やテレビジョン機器なども含まれる。このようなホスト６０００は、ＵＳＢバス、ＩＥＥＥ１２８４、或はＩＥＥＥ１３９４等のインターフェースを介して接続される。またこれ以外にもブルートゥース（Ｂｌｕｅｔｏｏｔｈ）等のインターフェースを用いても良い。
【００２８】
また前述した制御基板３０００の有する機能には、ＡＳＩＣ３００１により実現されるデータ入力及び格納処理部６００１と、プリンタエンジン３００４にプリントデータを出力するプリンタインターフェース部６００４、そしてＤＳＰ３００２により実行されるマルチレンダラ処理６００２、画像処理及びプロセス処理６００３が含まれる。まずホスト６０００からＩＦを介して画像データを読み込んで、データ入力格納６００１にまず格納される。格納されたデータをＤＳＰ３００２によりマルチレンダラ処理を行い復元され、画像処理／プロセス処理部６００３で処理できるデータに変換される。画像処理／プロセス処理部６００３では通常のホストＰＣ上プリンタドライバで行なわれるサイズ変換／色変換／量子化を行う。ここで色処理では元画像の色空間とプリンタの出力色空間のずれを補正するＲＧＢからＲ’Ｇ’Ｂ’への変換、さらにプリンタの色材成分への色変換であるＲ’Ｇ’Ｂ’からＣＭＹＫ、出力ガンマ補正等の一般的な色変換の他に、デジタルカメラで撮影された画像の色を適切に表現するための画像補正処理などを含んでいる。その後プリンタＩＦ６００４を介してプリンタエンジン３００４に送る。プリンタエンジン部での動作については、ここでは特に詳細に述べないが、公知の手法により本体モータの制御や記録ヘッドへデータを転送等の各種制御を行い、被記録媒体への画像の記録を行う。
【００２９】
以上が本発明を適応したフォトダイレクト（ＰＤ）プリンタについての概略説明である。
【００３０】
次に本発明を適応したデジタルカメラについて説明する。図７は、カメラ１４の内部構成を示すブロック図である。図７においては、本発明と関連して用いることのできる一般的なデジタルカメラを示しているが、さらに複雑な構成を有する他のデジタルカメラを本発明と関連して用いることもできることは言うまでもない。
【００３１】
図７に示すように、デジタルカメラ１００は、レンズ、絞り機構等からなりＣＣＤ２上に撮影対象像からの反射光を入射する光学系１と、光学系１からの撮像光を電気信号に変換するＣＣＤ２と、ＣＣＤ２からの信号を処理し多値（Ｒ、Ｇ、Ｂ）のラスタデータ（画像データ）としてフレームメモリ６に出力する信号処理部３と、信号処理部３、フレームメモリ６、６’、信号処理部７および記録媒体制御部８の動作制御、画像処理および画像圧縮伸張処理等通常の処理と本発明の特徴であるヒストグラム作成などの画像特徴抽出処理の実行を制御する制御部４、スイッチ等の操作による使用者からの指示を入力しデジタル信号に変換して制御部４に与える入力手段５と、フレームメモリ上のＲ、Ｇ、Ｂラスタデータを輝度成分Ｙおよび色差成分Ｕ、Ｖに変換してさらにＪＰＥＧ圧縮し、また、サムネイル画像を作成するための縮小処理など通常の処理と、本発明の特徴であるヒストグラム作成などの画像特徴抽出処理とを、行う信号処理部７と、信号処理部７の出力を受け取ってＪＰＥＧ圧縮された画像データ（以下、ＪＰＥＧ画像データと記す）およびサムネイル画像データおよび、本発明の特徴であるヒストグラム情報等の画像特徴抽出データとの、記録媒体９または拡張記録媒体１０の所定の位置への書込や、また記録された各ＪＰＥＧ画像データの読出等の制御を行う記録媒体制御部８と、それらの画像データおよび画像特徴抽出データを格納する記録媒体９と、拡張記録媒体１０と、外部装置とデータの授受を行う場合に用いるインターフェース１１と、スイッチの状態表示や機能仕様表示を行うＬＥＤランプ等の表示手段１５と、撮影した像あるいは撮像対象を表示する液晶ディスプレイ等からなる表示手段１６を備えている。ここで、ＪＰＥＧ画像データと記す）およびサムネイル画像データと画像特徴抽出データとは一つのファイルとして記録媒体９と、拡張記録媒体１０に記憶されても良いし、別のファイルとして記憶されても良いが、別のファイルとして記憶される場合はその元となる画像データのファイルと画像特徴抽出データのファイルとが関連付けて記憶する必要がある。
【００３２】
フレームメモリ６は通常は液晶ディスプレイ１６の画像表示用メモリとして用いられ、画像データがビットマップイメージで展開される。また、フレームメモリ６’は液晶ディスプレイ１６のメニュー表示用メモリとして用いられる。液晶ディスプレイ１６への表示時にはフレームメモリ６および６’の内容が重畳して表示される。
【００３３】
記録媒体９は、カメラ１００の内部に固定されたフラッシュメモリで構成されている。記録媒体９には、画像データだけでなく、プログラム等も記録すうように構成することも可能である。また、拡張記憶媒体１０はコンパクトフラッシュ(登録商標)が用いられている。
【００３４】
インターフェース１１は実施例ではシリアルインターフェイスを用いており、ＰＣ２００等のコンピュータ装置から送られるプログラムの受信、画像データのＰＣ２００への送信、モデム１５０を介しての画像データの通信回線１６０等への送出、プリンタ２４０やファクシミリ装置への印刷画像データの送信に用いられる。
【００３５】
図７（ｂ）は制御部４の構成を示し、制御部４はＣＰＵ４１、ＲＡＭ４２およびＲＯＭ４３から構成され、ＲＯＭ４３にはデジタルカメラ１００の動作制御、必要な色処理、データ圧縮処理等デジタルカメラ内部でのデータ処理に必要なプログラム群から構成される制御手段等が格納されている。
【００３６】
図８には本デジタルカメラの操作パネルを示す。
【００３７】
図中は８００１は電源のオン・オフ、撮影・再生モードをつかさどるパワーレバー、８００２は液晶ディスプレイにメニュー表示を行うメニューボタン、８００３は液晶ディスプレイに画像を表示するか否かをコントロールするディスプレイボタン、８００４はファインダー、８００５は撮影時にはマクロ設定用、再生時には画像ジャンプ設定を行うボタン、８００６は撮影時にはストロボ設定用、再生時にはインデックス表示を行うボタン、８００７は撮影条件設定用に設けられた各種ボタン、８００８は液晶画面上に表示されるメニュー項目を選択、または設定する為に使用されるマルチコントローラ、そして８００９は液晶画面である。
【００３８】
以上が本発明を適応するＰＤプリンタとデジタルカメラの概略説明である。
【００３９】
次に、本発明のデジタルカメラとＰＤプリンタの間で行なわれるフォトダイレクト印刷時の特徴的な操作について説明を行う。
【００４０】
図９は、デジタルカメラとプリンタ間の接続が確立した後に行われる操作フローを示したものである。基本的なシーケンスとしては、ユーザーによる
−  デジタルカメラ上の液晶画面を見ながらの印刷用画像データの選択
−  印刷用画像データのレイアウト選択・設定
−  紙種選択などの印刷用設定
−  印刷開始指示
となる。
【００４１】
本実施例のデジタルカメラとＰＤプリンタの場合、それぞれの機器にはそれぞれ単独使用時の際の操作画面となる液晶画面が装着されている。デジタルカメラの液晶画面は通常は撮影時の映像確認、撮影画像データの閲覧、並びに画像データの操作などカメラ機能のユーザー制御に使用される。
【００４２】
ＰＤプリンタにおいては記録媒体を介してデータを読み込んで出力するＰＤプリンタ単体によるダイレクトプリントの場合、通常プリンタに備わっている表示器に表示されるユーザーインターフェースに表示される情報を元にユーザーが設定、そして印字動作開始の指示を行う。
【００４３】
本実施例においてフォトダイレクト印刷の為にこれら二つの機器が接続された場合、フォトダイレクト印刷動作の主体的な制御、すなわちユーザーの設定に基づいた画像選択、印刷設定、そしてデータ転送に始まる印刷制御はカメラ側で行なうことが予め定められている。
【００４４】
この場合、ＰＤプリンタに機器が直結されたことをＰＤプリンタが検出すると、ＰＤプリンタはそのデバイスの種類を検出する。接続されたデバイスが所定のデジタルカメラであることを検出するとプリンタはフォトダイレクト印刷モードに入る。前述のように本実施例のフォトダイレクト印刷では基本的な操作をカメラ側で行うため、デジタルカメラ側の液晶画面に操作画面が表示される。一方プリンタに装備されている液晶画面は非表示状態になり、カーソルキーによる選択や指定が無効になる。
【００４５】
フォトダイレクトモードにおいてカメラの液晶画面に表示されるユーザーインターフェースを図１０に示す。図において、液晶表示部１０００１には、印刷出力を行うために必要な設定項目とそのメニュー項目が表示される。ここで表示される項目としては、印刷したい範囲の先頭写真番号、指定コマ番号（開始／−指定）、印刷を終了したい範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）、印刷の種類（インデックス印刷、全コマ印刷、１コマ印刷等）等がある。これら各項目は、カーソルキー１０００２を用いて選択、或いは指定される。
【００４６】
メニューの最下部に表示される１０００３は印刷開始ボタンであり、各種設定完了後、印刷の開始を指示する。このボタンもカーソルキー１０００２を用いて選択することにより指定される。
【００４７】
本実施例においてこのデジタルカメラのユーザーインターフェースを用いてユーザーがフォトダイレクト印刷の設定を行い実際に印刷出力動作を行った時の動作を説明する。
【００４８】
ユーザーがプリンタに出力用の用紙をセットしてデジタルカメラ上のユーザーインターフェースから印刷開始の指示を行うと、カメラとプリンタ間のネゴシエーションが開始されたのちに画像データの転送が開始される。
【００４９】
プリンタによって受信された画像データはデータ入力格納６００１に格納される。格納されたデータはＤＳＰ３００２によりマルチレンダラ処理を行い復元され、画像処理／プロセス処理部６００３で処理できるデータに変換する。画像処理／プロセス処理部６００３で通常のホストＰＣ上プリンタドライバで行なわれるサイズ変換／色変換／量子化を行う。ここで色処理では元画像の色空間とプリンタの出力色空間のずれを補正するＲＧＢからＲ’Ｇ’Ｂ’への変換、さらにプリンタの色材成分への色変換であるＲ’Ｇ’Ｂ’からＣＭＹＫ、出力ガンマ補正等の一般的な色変換の他に、デジタルカメラで撮影された画像の色を適切に表現するための画像補正処理などを行う。その後プリンタＩＦ６００４を介してプリンタエンジン３００４に送る。プリンタエンジン部での動作については、ここでは特に詳細に述べないが、公知の手法により本体モータの制御や記録ヘッドへデータを転送等の各種制御を行い、被記録媒体への画像の記録を行う。
【００５０】
プリンタエンジンにデータが送られるとプリンタエンジンが出力動作を開始する。
【００５１】
出力に際してプリンタに問題や不具合が発生しない場合、出力は正常に行なわれる。
【００５２】
しかしながら、プリンタにおいて、記録紙の不足、記録用のインク不足などユーザーによる対処を要する何らかの不具合が起こった場合には出力が中断してしまう。
【００５３】
本実施例において出力動作が中断した際の特徴的な動きについて説明する。
【００５４】
プリンタにおいてデジタルカメラの操作によりフォトダイレクト出力データとして転送されてきたデータを出力中に記録紙の不足、記録用のインク不足などユーザーによる対処を要する何らかの不具合が起こった場合、プリンタからのその旨のステータス情報が転送されることによりデジタルカメラ上の液晶画面にエラー状態を示す表示が行なわれる。それに加え、それまで非表示状態になっていたプリンタ側の液晶画面が表示状態となり、プリンタのエラー状態を伝える表示が画面上になされる。この様子を図１１に示す。これによりユーザーは印刷開始指示を行なったデジタルカメラ、出力動作を行っているプリンタ双方の画面上においてこのエラーステータスの確認を行うことが可能になる。
【００５５】
エラー状態を確認したユーザーはプリンタに向かい、新規に用紙を給紙トレーにセットする、インク量が少なくなっているインクカートリッジの交換など、画面上に表示されたエラー状態に対応してその対処を行う。
ユーザーの対処によってプリンタ側のエラー状態が解消されると、プリンタはこれを検出する。デジタルカメラ、プリンタ双方の表示機に表示されていたエラー通知表示は正常状態を表示するようになると同時に、プリンタ側の表示機には印刷再開ボタンが表示される。これにより、ユーザーはプリンタの不具合を解消した後にデジタルカメラの操作を行うことなく、プリンタに装備される表示機に表示される情報によりエラー状態の解消を知り、また同表示機に表示される印刷再開のボタンを選択、指示することによりデジタルカメラに戻ることなく出力動作の再開を指示することが出来る。
【００５６】
このフローを図１２に示す。
【図面の簡単な説明】
【００５７】
【図１】本発明の実施の形態に係るフォトダイレクトプリンタ装置の概観斜視図である。
【図２】本実施の形態に係るフォトダイレクトプリンタ装置記録ヘッドの構成を示す概観斜視図である。
【図３】本実施の形態に係る操作パネルの概観図である。
【図４】本実施の形態に係るフォトダイレクトプリンタ装置の制御に係る主要部の構成である。
【図５】本実施の形態に係るＡＳＩＣの構成を示すブロック図である。
【図６】本実施の形態に係るフォトダイレクトプリンタ装置のインターフェース及び画像処理制御に係る機能構成を示す機能ブロック図である。
【図７】本実施の形態に係るデジタルカメラの内部構成を示すブロック図である。
【図８】本発明の実施例に関わるデジタルカメラの操作部分を表す図である。
【図９】フォトダイレクトプリントにおける一般的な操作手順を表したフローチャートである。
【図１０】本発明の実施例に関わるデジタルカメラのフォトダイレクトミード時の操作メニューを表す図である。
【図１１】本発明の実施例においてフォトダイレクト印刷時におけるプリンタエラー発生時のユーザーインターフェースの様子を表したものである。
【図１２】本発明の実施例においておいてフォトダイレクト印刷時におけるプリンタエラー発生時のプリンタの動作を表したフローチャート図である。
【符号の説明】
【００５８】
１  光学系
２  ＣＣＤ
３  信号処理部
４  制御部
５  入力手段
６、６’  フレームメモリ
７  信号処理部
８  記録媒体制御部
９  記録媒体
１０  拡張記録媒体
１１  インターフェース
１５  表示手段
１６  表示手段
４１  ＣＰＵ
４２  ＲＡＭ
４３  ＲＯＭ
１００  デジタルカメラ
２００  ＰＣ
１５０  モデム
１６０  通信回線
１０００  フォトダイレクトプリンタ装置
１００１  下ケース
１００２  上ケース
１００３  アクセスカバー
１００４  排出トレイ
１００４ａ，１００４ｂ  補助トレイ
１００５  電源キー
１００６  液晶表示部
１００７  自動給送部
１００８  紙間選択レバー
１００９  カードスロット
１０１０  操作パネル
１０１１  ビューワ
１０１２  端子
１０１３  ＵＳＢバスコネクタ
【図１】
2006059069.tif 000003
【図２】
2006059069.tif 000004
【図３】
2006059069.tif 000005
【図４】
2006059069.tif 000006
【図５】
2006059069.tif 000007
【図６】
2006059069.tif 000008
【図７】
2006059069.tif 000009
【図８】
2006059069.tif 000010
【図９】
2006059069.tif 000011
【図１０】
2006059069.tif 000012
【図１２】
2006059069.tif 000013
【図１１】
2006059069.tif 000014